(57)【特許請求の範囲】
【請求項１】
制限区域へのアクセスの制御および監視システムであって、制限区域（ＲＡ）の前にブロック領域（ＧＡ）を有し、前記ブロック領域（ＧＡ）は照明要素（３１）を有するバリア（３０）によって範囲を限定され、前記照明要素は処理ユニット（１０）によって起動され、前記処理ユニットはユーザ認証ユニット（２０）からの認証および前記ブロック領域（ＧＡ）に入るユーザのカテゴリを受け取るか、または受け取らず、前記ブロック領域（ＧＡ）内にはアクション領域捕捉装置（４０）が配置され、前記アクション領域捕捉装置は前記ブロック領域（ＧＡ）内のユーザの存在を識別し、そして前記存在、位置および変位に関する情報を前記処理ユニット（１０）に送信し、前記処理ユニットは前記バリア（３０）上に配置される、ユーザカテゴリ：特定の表示的ディスプレイ（３１１）を持つ許可ユーザ（ＡＵ）、特定の表示的ディスプレイ（３１２）を持つ無許可ユーザ（ＵＵ）、および特定の表示的ディスプレイ（３１３）を持つ特別ユーザ（ＳＵ）、に対して定義された色の、前記照明要素（３１）を介して表示的ディスプレイを起動し、前記表示的ディスプレイは、前記アクション領域捕捉装置（４０）から受信され、前記処理ユニット（１０）によって処理された情報に基づいて、前記ブロック領域（ＧＡ）を通る前記ユーザの変位に追従し、前記アクション領域捕捉装置（４０）により受信されるデータに基づいて処理ユニット（１０）により駆動される流れ制限装置（５０）を提供し、前記制限区域（ＲＡ）への前記特別ユーザ（ＳＵ）のアクセスを許可し、前記無許可ユーザ（ＵＵ）のアクセスを防止する、
ことを特徴とする制限区域へのアクセスの制御および監視システム。
【請求項２】
前記照明要素バー（３１）が、発光ダイオード（ＬＥＤ）、レーザビーム、電球、または発光ディスプレイＬＣＤ（液晶ディスプレイ）タイプ、もしくはプラズマを備えることを特徴とする、請求項１に記載の制限区域へのアクセスの制御および監視システム。
【請求項３】
前記ユーザ認証ユニット（２０）がバイオメトリックおよび／または非バイオメトリック要素によるユーザ識別を可能にする手段を備える、任意の装置を有する、ことを特徴とする請求項１に記載の制限区域へのアクセスの制御および監視システム。
【請求項４】
前記アクション領域捕捉装置は、ビデオカメラ、熱または距離獲得装置、および前記アクション領域内の周囲物の代表的な画像の組み立てを可能にするその他の装置、の中から選択される、アクション領域内の静的画像または動的画像を認識する任意の装置である、ことを特徴とする請求項１に記載の制限区域へのアクセスの制御および監視システム。
【請求項５】
前記無許可ユーザ（ＵＵ）が流れ制限装置（５０）に近づくにつれて、前記流れ制限装置（５０）が、前記アクション領域捕捉装置（４０）から受信されたデータからの、前記無許可ユーザ（ＵＵ）の速度に比例して、前記処理ユニット（１０）から受信された命令に基づいて、流れを部分的または全体的に制限することを特徴とする請求項１に記載の制限区域へのアクセスの制御および監視システム。
【請求項６】
前記流れ制限装置が選択肢として抑制されることを特徴とする、請求項１に記載の制限区域へのアクセスの制御および監視システム。
【請求項７】
選択肢として、アクション領域捕捉装置（４０）がバイオメトリック識別または非バイオメトリック識別の手段によって前記ユーザまたはオブジェクトの識別の正当性をそれぞれ確認し、前記ユーザまたは前記オブジェクトが制限区域（ＲＡ）に入ることを許可されているか否かを検証し、そしてそれぞれの表示的ディスプレイ（３１１、３１２または３１３）を構成するために、照明要素バー（３１）を作動させる処理ユニット（１０）に信号を送信する、ことを特徴とする請求項１に記載の制限区域へのアクセスの制御および監視システム。
【請求項８】
以下の段階：
ａ）ユーザが、ブロック領域（ＧＡ）の入り口に配置された認証ユニット（２０）で識別されるか否か、
ｂ）アクション領域捕捉装置（４０）は、ブロック領域（ＧＡ）内のユーザの存在を識別し、存在、位置、および変位情報を処理ユニット（１０）に送信する、
ｃ）処理ユニット（１０）は、ユーザカテゴリ：特定の表示的ディスプレイ（３１１）を有する許可ユーザ（ＡＵ）、特定の表示的ディスプレイ（３１２）を有する無許可ユーザ（ＵＵ）、および特定の表示的ディスプレイ（３１３）を有する特別ユーザ（ＳＵ）、に対して定義された色の表示的ディスプレイを起動し、このような前記表示的ディスプレイはブロック領域（ＧＡ）の制限バリア（３０）上に配置された照明要素（３１）によって形成される、
ｄ）前記表示的ディスプレイは、アクション領域捕捉装置（４０）から受信した情報に基づいて、ブロック領域（ＧＡ）を通るユーザの変位に追従する、
ｅ）制限区域（ＲＡ）へのユーザの入場は、処理ユニット（１０）によって起動された流れ制限装置（５０）によって許可されるかまたは許可されない
を含むことを特徴とする、請求項１に記載のように制限区域へのアクセスを制御し、監視する、方法。
【発明の詳細な説明】
【発明の詳細な説明】
【０００１】
〔本発明の分野〕
本発明は、大量輸送システム（地下鉄駅、駅、空港、港など）、商業ビル、学校、工場、データセンターおよび人々の交通を特徴とする他の場所などの制限区域へのアクセスの制御および監視のシステムおよび方法を記載する。より具体的には、それは、処理ユニットを備えるアクセスおよび監視システムを有し、処理ユニットは、認証ユニットから情報を受信し、そしてブロック領域の制限バリア内に配置された１つ以上の光要素のバーを作動させ、各ユーザカテゴリ（許可、無許可、または特別）に対し、ブロック領域を通過するユーザの動きに追従する表示的ディスプレイを付与し、それにより、無許可ユーザを視覚的に識別し、そして可能な場合接近し、そして許可ユーザおよび特別ユーザへ制限区域への進入許可を与えることに関し、保安要員のパフォーマンスを向上させる。
【０００２】
〔本発明の背景〕
人の流れの制御が必要とされる用途では、入場を確認または防止するためのいくつかの手段が使用される。最も一般的なケースは、９０度（４本）または１２０度（３本）の角度で配置された機械式アームを備えた回り木戸またはバリアである。この場合、ユーザはアームと物理的に相互作用して、適切に検証された場合には封鎖部または回転木戸を通過することを可能にするために、装置の回転を強制する。回転運動は、ユーザの力だけによるか、またはモータ支援であってもよく、そして通過が検証されない場合、回転ドアは、回転を阻止し、無許可ユーザの通過を防止する。
【０００３】
特許文献ＵＳ２００６１０１７１６は、空間または輸送車両へのアクセスを可能にするかまたは防止するための自動ゲートを記載し、それはフラップが人の通過を妨げる障壁を形成する閉鎖位置と、認証装置にチケットを挿入することにより人の通過を可能にする開放位置との間で動く、可動フラップを有する。
【０００４】
ユーザと機器との物理的な接触が必要とされない最新の従来技術の解決策では、ユーザのアクセスを遮断または許可するスライドドアの作動は、一般に、ユーザの通過を監視し、通過が検証されたときにドアを開ける、赤外線光学センサによって行われる。
【０００５】
特許文献ＣＮ１０３２９５３０１には、識別モジュールを有するアクセス制御システムが記載されている。識別モジュールは、ユーザがブロック領域に近づくにつれてユーザを識別する赤外線センサを含む。
【０００６】
ユーザと機器とが物理的に接触していない装置の場合、２つの主な特徴が調査され
る：アクセス許可のないユーザの通過、および、アクセスを「ヒッチハイク」するユーザ、すなわちブロッキングを通過するために、正規に許可されたユーザを利用するユーザ、の監視である。
【０００７】
無許可ユーザが正規の許可ユーザと一緒に入ると、システムはそれを検出し、ブロッキング要素が自動的に閉じ、ときには、無許可ユーザによって追い越された許可ユーザのアクセスを妨げる。このブロックは通常、音声や視覚による警告を伴い、それが保安チームの出動の引き金となるが、保安チームは、状況によっては、無許可ユーザをすばやく特定できない。
【０００８】
文献、国際公開第２０１３１３５９２２号は、許可された人の有効なアクセスを利用する無許可の人の通過を検出するために、バリアを有する機器に適用可能なアクセス制御装置を記載している。その装置は人計数センサ、音及び視覚アラーム、および容易に除去できる染料を吹き付けるための手段を有する。
【０００９】
文献ＣＮ１０１８４７２７８は、１人以上の個人の存在を検出し、それが許可された個人または無許可の個人または侵入者であるかを判定するために、管理区域におけるセキュリティおよびシグナリングのレベルを調整するためのシステムおよび方法を記載している。
【００１０】
文献ＵＳ５８４５６９２は、ドアシステムをブロックすることなく、または視覚と音の警告装置を提示することにより他の個人の流れを阻止することなく、許可されている個人が戸口を通過でき、一方無許可の個人は制限区域に入ることを防止され、そしてさらなる処理のために制限されていない区域に自動的に行く先を再度指示される、アクセスシステムを記載している。
【００１１】
文献ＪＰ２００６２０９７２８には、アクセス許可を有する人物に同伴する無許可者の無許可侵入を防止するための無許可侵入検出装置および検出方法が記載されている。このアクセス制御システムでは、個人の認証装置が侵入を許可し、第２のドアが制御部への侵入を許可し、そこで認証装置が無許可侵入を防止する。制御部に入るための制御システムは、認証室の天井に設置されたビデオカメラを有する。この制御システムには、個人認証装置が搭載され、それはつぎの要素からなる：カメラにより撮影された認証室内の映像全体に基づいて画像処理を行う無許可侵入検知装置、および不在、許可された入室または無許可入室、を報知するコンピュータプログラム、および無許可入室の検出のための装置の決定の結果に応じて第１および第２のドアの開閉を制御するための制御装置。
【００１２】
したがって、この従来技術のシステムは、無許可ユーザによる制限区域への進入または進入の試み、またはヒッチハイクユーザ（許可ユーザと一緒に進入する人）による進入の試みに関する警告を与えるための視覚的および／または音声のシグナリング装置を提示する。しかしながら、これらの最新技術のシステムは、ブロック領域を通るユーザの通行の視覚的な追従を提供せず、それがある意味でセキュリティまたはドア要員が無許可ユーザに接近する際の即時かつ正確な行動を妨げる。
【００１３】
また、制限区域アクセスのための最新の制御システムは、特別な条件を有する許可ユーザ（限定されないが、中でも、高齢者、障害のある人々、支払い免除ユーザ、学生、異なる料金を支払うユーザ、訪問者、派遣労働者、サービスプロバイダーなど）はブロック領域を通る経路では視覚的に識別されないような方法で、認証装置内のユーザカテゴリを識別し、そのことは多くの場合保安要員にとって、補助の遅れや流れの遅れ、そして場合によっては流れ制限装置の停止時間を意味する。
【００１４】
したがって、本発明の目的は、制限区域の前のブロック領域を特徴とする制限区域アクセスのための制御システムであり、そのブロック領域は、ユーザ認証モジュールを備える。処理ユニットは、認証およびユーザカテゴリ（許可、無許可、および特別）に関するデータを受信すると、各ユーザカテゴリ用の従来の色の、バリア上に配置された照明要素を介して表示的ディスプレイを作動させる。この表示的ディスプレイは、アクション領域捕捉装置によって送信され処理ユニットによって処理された情報に基づいて、ブロック領域を通過するユーザの移動に追従し、必要な措置がとられるように最終的な出来事を保安要員に知らせる。アクション領域捕捉装置は、アクション領域内の１人以上のユーザの位置を常に識別し、この情報を処理ユニットに転送する。処理ユニットはユーザの位置と速度を計算する。流れ制限装置は、無許可ユーザの速度に比例して、前記流れ制限装置の部分的または全体的な閉鎖を行う。
【００１５】
〔概要〕
本発明は、制限区域アクセス用の制御監視システムを提供し、そのシステムは、処理ユニットを有し、処理ユニットは、そのユーザか否かを認証し、そしてそのデータを処理ユニットに送る、従来型のユーザ認証ユニットに相互接続され、処理ユニットは、ブロック領域のバリアに配置された照明要素を作動させ、照明要素はユーザカテゴリ（認証、無許可、および特別）の表示的ディスプレイを構成し、その表示的ディスプレイはブロック領域を通って制限区域の入口にある流れ制限装置までユーザの動きに追従する。
【００１６】
本発明は、ブロック領域内のユーザの存在を識別し、常に位置情報を処理ユニットに送信する、アクション領域捕捉装置を特徴とする制限区域アクセス用の制御および監視システムを提供する。処理ユニットは、バリア内に配置された、ユーザーカテゴリ（許可、無許可、および特別）に対して定義された色の照明要素を介した表示的ディスプレイを起動させ、このことは、表示的ディスプレイが、処理ユニットから受信した情報に基づいて、ブロック領域を通るユーザの動きに追従することを意味する。
【００１７】
本発明は、制限区域の前に位置する流れ制限装置を提示することができる制限区域アクセス用の制御および監視システムを提供する。流れ制限装置は、アクション領域捕捉装置により検知されたユーザ（一般的に「無許可ユーザ」で使用される手順）の通過速度に比例して制限／閉鎖または開放速度が処理ユニットにより制御される。
【００１８】
本発明は、制限区域アクセスを制御し監視する方法を提供し、その方法は、認証ユニット内の以前に識別された各ユーザカテゴリ（許可、無許可、および特別）に対し、ブロック領域のバリア内に配置された照明要素からなる表示的ディスプレイの形式の、そのユーザカテゴリのための一意的かつ所定の視覚的識別を与える。その表示的ディスプレイは、ブロック領域を通過するユーザの動きに追従し、それにより視覚化および、無許可または特別なユーザへの可能なアプローチ、および許可ユーザおよび特別ユーザに対する制限区域に入る許可、に関して保安要員の行動が容易になる。
【００１９】
本発明は、制限区域内のアクセスを制御し監視する方法を提供し、その方法は、ブロック領域のバリア内に配置された照明要素により形成される表示的ディスプレイを提供し、その表示的ディスプレイは、異なるカテゴリまたは同じカテゴリのユーザによる、他のユーザより早い速度の歩行が発生した場合でも、また早い歩行速度のユーザの表示的ディスプレイが遅い歩行速度のユーザの表示的ディスプレイと順番が入れ替わった場合でも、ブロック領域を通過するユーザの動きに追従する。
【００２０】
本発明は、保安またはドア要員が、ブロック領域を通ってアクセス制限区域に向かって移動する無許可ユーザを迅速に隔離することを可能にする、制限区域内のアクセスを制御し監視する方法を提供する。
【００２１】
〔図面の簡単な説明〕
図１は、制限区域に対するアクセス制御および監視システムの図を示し、バリア（３０）によって範囲を制限されたブロック領域（ＧＡ）を強調している。各バリア（３０）は、照明要素のバー（３１）、ブロック領域（ＧＡ）の入口に配置されたユーザ認証ユニット（２０）、アクション領域捕捉装置（４０）、および制限区域（ＲＡ）の入口に配置された流れ制限装置（５０）を有する。
【００２２】
図２は、アクション領域捕捉装置（４０）のアクション角度とアクション領域を示す図であり、監視される限界を強調し、ならびにブロック領域（ＧＡ）を通る、許可ユーザ（ＡＵ）、無許可ユーザ（ＵＵ）および特別ユーザ（ＳＵ）の位置ずれを強調している。
【００２３】
図３は、許可ユーザ（ＡＵ）、無許可ユーザ（ＵＵ）および特別ユーザ（ＳＵ）がブロック領域（ＧＡ）を歩くことを示す図であり、各ユーザーカテゴリ（ＡＵ、ＵＵ、またはＳＵ）に固有の色の表示的ディスプレイ（３１１、３１２、または３１３）を強調している。
【００２４】
図４は、認証ユニット（２０）で識別された後、ブロック領域（ＧＡ）に入る許可ユーザ（ＡＵ）の変位図であり、それぞれの表示的ディスプレイ（３１１）は、許可ユーザを示す色で強調表示されている。 図４Ａは、許可ユーザ（ＡＵ）がブロック領域（ＧＡ）を出て制限区域（ＲＡ）に入ることを示し、流れ制限装置（５０）は制限区域（ＲＡ）へのアクセスを許可し、表示的ディスプレイ（３１１）は、ブロック領域（ＧＡ）内の許可ユーザ（ＡＵ）の経路が制限区域（ＲＡ）方向に向かうか否かを、そのユーザが流れ制限装置（５０）を通過するまで監視する。
【００２５】
図５は、ブロック領域（ＧＡ）を通る、それぞれの表示的ディスプレイ（３１２）を有する無許可ユーザ（ＵＵ）の変位と、それぞれの表示的ディスプレイ（３１１）を有する許可ユーザ（ＡＵ）の変位を示す図であり、無許可ユーザ（ＵＵ）が流れ制限装置（５０）によって制限区域（ＲＡ）への通過を阻止されている。
【００２６】
図６は、それぞれの表示的ディスプレイ（３１１）を有する許可ユーザ（ＡＵ）が制限区域（ＲＡ）に入り、流れ制限装置（５０）は通過を許可し、その後にそれぞれの表示的ディスプレイ（３１２）を有する無許可ユーザ（ＵＵ）が続く様子を示している。
【００２７】
図７は、双方向ブロック領域（ＧＡ）を通過する無許可ユーザ（ＵＵ）および許可ユーザ（ＡＵ）の変位を示す図であり、アクション領域捕捉装置（４０）がバリア（４０）上に配置される様子を示す。
【００２８】
図８は、制限区域内アクセス制御および監視のためのシステムのブロック図である。
【００２９】
図９は、制限区域内アクセス制御および監視のための方法の段階の流れチャートである。
【００３０】
〔発明の詳細な説明〕
本発明の目的のために、以下の用語が定義される：
【００３１】
「ブロック領域」（ＧＡ）は、照明要素バー（３１）を有する物理的要素（例えば、バリア（３０））によって横方向に制限された領域を有し、そのブロック領域（ＧＡ）は、制限区域（ＲＡ）の前に配置される。
【００３２】
「制限区域」（ＲＡ）は、ブロック領域（ＧＡ）の入り口に配置された認証装置（２０）において事前登録された許可ユーザ（ＡＵ）および／または特別ユーザー（ＳＵ）のみがアクセスするための区域からなる。その制限区域（ＲＡ）は、許可ユーザ（ＡＵ）または特別ユーザー（ＳＵ）の進入を許可し、無許可ユーザ（ＵＵ）のアクセスを防止する流れ制限装置（５０）を制限区域（ＲＡ）内に有することができる。
【００３３】
「許可ユーザ」（ＡＵ）は、ブロック領域（ＧＡ）の入り口に配置された認証ユニット（２０）によって制限区域（ＲＡ）に入ることを許可されたユーザからなる。
【００３４】
「特別ユーザ」（ＳＵ）は、許可ユーザおよび、高齢者、障害のある人々、非有料ユーザ、異なる料金を支払っているユーザのような、特別な支援を必要とし、または必要としない特定の条件を提示するユーザを含む。この特別ユーザ（ＳＵ）は、ブロック領域（ＧＡ）の入り口に配置された認証装置（２０）によって制限区域（ＲＡ）に入ることを許可されるが、その表示的ディスプレイ（３１３）はカテゴリに対して指定された特定の色を有するか、許可ユーザ（ＡＵ）および無許可ユーザ（ＵＵ）と区別された、特別ユーザ（ＳＵ）の各タイプの特定の色を有し、それにより保安要員による検査を容易にする。
【００３５】
「無許可ユーザ」（ＵＵ）は、ブロッキング領域（ＧＡ）入口に配置された認証ユニット（２０）によって入ることを許可されていないユーザ、または認証ユニット（２０）においてＩＤを提供しなかったユーザからなる。
【００３６】
「アクション領域」は、ブロック領域（ＧＡ）全体および隣接領域を含む、アクション領域補足装置（４０）の視野領域からなる。
【００３７】
本明細書では「表示的ディスプレイ」（３１１、３１２、または３１３）と呼ばれるユーザの位置およびステータスの表示的ディスプレイは、バリア（３０）上に配置される照明要素バー（３１）の１つまたは複数の照明要素から構成されるディスプレイを備え、そのディスプレイはブロック領域（ＧＡ）を通過するユーザの変位に連続して追従し、ユーザカテゴリ−許可（ＡＵ）、無許可（ＵＵ）、および特別（ＳＵ）−を、そのユーザカテゴリに対し以前に定義した色で表示する。
【００３８】
制限区域のアクセス制御システムは、制限区域（ＲＡ）の前にブロック領域（ＧＡ）を有し、そのブロック領域（ＧＡ）は、照明要素（３１）を備えたバリア（３０）によって境界付けられている。照明要素は処理ユニット（１０）により起動され、処理ユニットは、認証装置（２０）の認証、およびユーザカテゴリを受信し、または受信しない。並行して、アクション領域捕捉装置（４０）は、ブロック領域（ＧＡ）内のユーザの存在を識別し、存在、位置および変位の情報を処理ユニット（１０）に送信し、処理ユニット（１０）はユーザカテゴリ；特定の表示的ディスプレイ（３１１）を有する許可ユーザ（ＡＵ）、特定の表示的ディスプレイ（３１３）を有する無許可ユーザ（ＵＵ）、および特定の表示的ディスプレイ（３１３）を有する特別ユーザ（ＳＵ）、に対して定義された色の照明要素を介して表示的ディスプレイを作動させ、その表示的ディスプレイは、アクション領域補足装置（４０）から受信され処理ユニット（１０）によって処理された情報に基づいて、ブロック領域（ＧＡ）内のユーザの移動に追従し、適切な対策が取られるように、保安要員に出来事を信号で知らせる。
【００３９】
好ましくは、ブロック領域（ＧＡ）に提供されるバリア（３０）は、図２に示されるように、許可ユーザ（ＡＵ）、無許可ユーザ（ＵＵ）および特別ユーザ（ＳＵ）の制限区域（ＲＡ）に向かう一方向の移動を許容する。
【００４０】
しかしながら、ブロック領域（ＧＡ）の入り口のユーザ認証装置（２０）および／または図７に示すような表示的ディスプレイ（３１１、３１２、３１３）を構成するためのアクション領域捕捉装置（４０）を備えることにより、双方向流れが提供されうる。
【００４１】
照明要素バー（３１）は、発光ダイオード（ＬＥＤ）、レーザビーム、電球、発光ディスプレイＬＣＤ（液晶ディスプレイ）タイプ、プラズマまたはＬＥＤ、または同様のものを備えることができる。
【００４２】
任意のユーザの表示的ディスプレイは、ブロック領域（ＧＡ）内のユーザ経路に沿って移動する。ユーザが第２のユーザによって追い越されると、追い越されたユーザの表示的ディスプレイは追い越したユーザの表示ディスプレイによって追い越され、その結果、ユーザのそれぞれの表示的ディスプレイはユーザの変位とアライメントされたままである。
【００４３】
（ＡＵ）、（ＵＵ）、または（ＳＵ）ユーザが、直前または直後の（ＡＵ）、（ＵＵ）、または（ＳＵ）ユーザを追い越すと、追い越された（ＡＵ）、（ＵＵ）または（ＳＵ）ユーザの表示的ディスプレイ（３１１）、（３１２）、または（３１３）は、追い越したユーザ（ＡＵ）、（ＵＵ）または（ＳＵ）の表示的ディスプレイ（３１１）、（３１２）または（３１３）を通過して運ばれる。
【００４４】
ユーザ認証ユニット（２０）は、バイオメトリック識別要素（特に、虹彩、顔認識、指、手のひらまたは指の静脈のデジタル認識、など）または非バイオメトリック識別（特に、磁気ストライプまたは２次元を含むバーコードを有するバッジ、パンチカード、無線周波数カード、スマートカードなど）のいずれかを介して、ユーザの識別を可能にするための手段を提供する任意の最新技術装置を有する。
【００４５】
アクション領域捕捉装置（４０）は、アクション領域内の動的および静的オブジェクトの存在を監視および登録し、処理ユニット（１０）と通信し、ブロック領域（ＧＡ）を歩く１人または複数のユーザ（ＡＵ、ＵＵ、またはＳＵ）の位置および速度を基本的に計算することを可能にするデータを送信し、表示的ディスプレイ（３１１、３１２および３１３）内の照明要素バー（３１）を作動させるのに必要なデータを提供し、そして、特に、流れの強度、ブロック領域（ＧＡ）内のユーザ位置（ＡＵ、ＵＵまたはＳＵ）などの追加情報を提供する。
【００４６】
アクション領域捕捉装置（４０）は、特定のアクション領域内の静止画像または動的画像を認識する任意の装置でよく、それは、ビデオカメラ、熱または距離捕捉装置、およびアクション領域内の周辺物の代表的な画像のアセンブリを可能にする他の装置、の中から選択され得る。
【００４７】
ブロック領域（ＧＡ）内のユーザ（ＡＵ、ＵＵ、またはＳＵ）の動きに追従する表示的ディスプレイ（３１１、３１２、または３１３）は、ユーザのカテゴリを識別し、そして保安要員および／またはドア要員が必要に応じて処置を取ることができるように、視覚化を促進する。例えば、ブロック領域（ＧＡ）を通る無許可ユーザ（ＵＵ）の移動は、そのようなカテゴリに対して従来定義されている色でのそれぞれの表示的ディスプレイ（３１２）の共同移動を促進し、それにより保安要員はこの無許可ユーザ（ＵＵ）を素早く目視し、そして可能な接近あるいは他の定義された手順を実行することが出来る。
【００４８】
好ましい具体化では、制限区域（ＲＡ）の入り口で、処理ユニット（１０）によって駆動される流れ制限装置（５０）が提供され、その流れ制限装置（５０）は、制限区域（ＲＡ）への無許可ユーザ（ＵＵ）の通過を防止する。
【００４９】
選択肢として、流れ制限装置（５０）は抑制され、例えば、それぞれの表示的ディスプレイ（３１２）の視覚的検証によって、保安要員により無許可ユーザ（ＵＵ）の制限区域（ＲＡ）への通行を防止してもよい。
【００５０】
流れ制限装置（５０）は、流れを制限するために一般的に使用される任意の装置、例えば、回転木戸、ブロッカー、引き戸、および他の同様の構成要素を含む。
【００５１】
図６に示されるように、無許可ユーザ（ＵＵ）が許可ユーザ（ＡＵ）または特別ユーザ（ＳＵ）のすぐ後ろでブロック領域（ＧＡ）を通過するとき、それぞれの表示的ディスプレイ（３１１）、（３１２） （３１３）は、各ユーザのカテゴリを知らせるために、バリア（３０）の照明要素バー（３１）上で作動される。処理ユニット（１０）は、アクション領域捕捉装置（４０）によって受信されたデータに基づいて、無許可ユーザ（ＵＵ）が流れ制限デバイス（５０）に近づくにつれて流れを部分的に制限し始め、制限区域（ＲＡ）への無許可ユーザ（ＵＵ）のみの通過を阻止し、許可ユーザ（ＡＵ）の制限区域（ＲＡ）への進入を許容する。流れ制限装置（５０）の閉鎖または開放速度は、システムによって定義されたユーザ、通常は無許可ユーザ（ＵＵ）の速度および方向に比例して可変であり得る。
【００５２】
処理ユニット（１０）は、例えば、無許可ユーザ（ＵＵ）および許可ユーザ（ＡＵ）または特別ユーザ（ＳＵ）の進入の試みを識別する、またはブロック領域（ＧＡ）内に残っているオブジェクトを識別する、ことが可能な、以前に確立された規則に基づいてプログラムされた任意のイベントを記録する。将来の参照用に保管されているこれらのイベントも、適切な処置を講じることができるように保安要員に通知される。
【００５３】
選択肢として、アクション領域捕捉装置（４０）が、バイオメトリックまたは非バイオメトリック識別によって、ユーザまたはオブジェクトのＩＤをそれぞれ正当であるか確認し、ユーザまたはオブジェクトが制限区域（ＲＡ）に入ることを許可されているか否か検証し、そして処理ユニット（１０）に信号を送り、処理ユニットは照明要素バー（３１）を作動させて、それぞれの表示的ディスプレイ（３１１、３１２または３１３）を構成するので、ユーザ認証ユニット（２０）は抑制されてもよい。
【００５４】
選択肢として、ブロック領域（ＧＡ）に隣接して検査領域が設けられ、そこに無許可ユーザ（ＵＵ）が保安要員によって送置され、それによりそのブロック領域（ＧＡ）における流れの中断が回避されてもよい。
【００５５】
選択肢として、制限区域アクセスの制御および監視のシステムおよび方法は計数に使用されうる。この場合、バリア（３０）に配置されたユーザ認証ユニット（２０）、流れ制限装置（５０）および照明要素バー（３１）は抑制され、アクション領域捕捉装置（４０）は、ユーザがブロック領域（ＧＡ）を通過したことを識別し、計数を実行する業務を担う。
【００５６】
選択肢として、制限区域へのアクセスを制御および監視するシステムおよび方法は、限定されないが特にバーコードを備えたイヤリングのような、認識または識別装置を介して、動物の分類、物理的属性による分類、に使用できる。この場合、アクション領域捕捉装置（４０）は、例えば識別イヤリングを読み取ることによって動物を識別し、そしてそのカテゴリに対して定義されたそれぞれの表示的ディスプレイをトリガする信号を処理ユニット（１０）に送信し、ブロック領域（ＧＡ）を通る動物の動きに追従し、例えば雄と雌、予防接種を受けた動物と予防接種を受ける動物、を識別することを可能にし、必要に応じて、動物の隔離のために、流れ制限装置（５０）を以前にプログラムされた命令に従って、作動させる。
【図面の簡単な説明】
【００５７】
【図１】図１は、制限区域に対するアクセス制御および監視システムの図を示し、バリア（３０）によって範囲を制限されたブロック領域（ＧＡ）を強調している。各バリア（３０）は、照明要素のバー（３１）、ブロック領域（ＧＡ）の入口に配置されたユーザ認証ユニット（２０）、アクション領域捕捉装置（４０）、および制限区域（ＲＡ）の入口に配置された流れ制限装置（５０）を有する。
【図２】図２は、アクション領域捕捉装置（４０）のアクション角度とアクション領域を示す図であり、監視される限界を強調し、ならびにブロック領域（ＧＡ）を通る、許可ユーザ（ＡＵ）、無許可ユーザ（ＵＵ）および特別ユーザ（ＳＵ）の位置ずれを強調している。
【図３】図３は、許可ユーザ（ＡＵ）、無許可ユーザ（ＵＵ）および特別ユーザ（ＳＵ）がブロック領域（ＧＡ）を歩くことを示す図であり、各ユーザーカテゴリ（ＡＵ、ＵＵ、またはＳＵ）に固有の色の表示的ディスプレイ（３１１、３１２、または３１３）を強調している。
【図４】図４は、認証ユニット（２０）で識別された後、ブロック領域（ＧＡ）に入る許可ユーザ（ＡＵ）の変位図であり、それぞれの表示的ディスプレイ（３１１）は、許可ユーザを示す色で強調表示されている。 図４Ａは、許可ユーザ（ＡＵ）がブロック領域（ＧＡ）を出て制限区域（ＲＡ）に入ることを示し、流れ制限装置（５０）は制限区域（ＲＡ）へのアクセスを許可し、表示的ディスプレイ（３１１）は、ブロック領域（ＧＡ）内の許可ユーザ（ＡＵ）の経路が制限区域（ＲＡ）方向に向かうか否かを、そのユーザが流れ制限装置（５０）を通過するまで監視する。
【図５】図５は、ブロック領域（ＧＡ）を通る、それぞれの表示的ディスプレイ（３１２）を有する無許可ユーザ（ＵＵ）の変位と、それぞれの表示的ディスプレイ（３１１）を有する許可ユーザ（ＡＵ）の変位を示す図であり、無許可ユーザ（ＵＵ）が流れ制限装置（５０）によって制限区域（ＲＡ）への通過を阻止されている。
【図６】図６は、それぞれの表示的ディスプレイ（３１１）を有する許可ユーザ（ＡＵ）が制限区域（ＲＡ）に入り、流れ制限装置（５０）は通過を許可し、その後にそれぞれの表示的ディスプレイ（３１２）を有する無許可ユーザ（ＵＵ）が続く様子を示している。
【図７】図７は、双方向ブロック領域（ＧＡ）を通過する無許可ユーザ（ＵＵ）および許可ユーザ（ＡＵ）の変位を示す図であり、アクション領域捕捉装置（４０）がバリア（４０）上に配置される様子を示す。
【図８】図８は、制限区域内アクセス制御および監視のためのシステムのブロック図である。
【図９】図９は、制限区域内アクセス制御および監視のための方法の段階の流れチャートである。
【図１】
0006565083.tif 000002
【図２】
0006565083.tif 000003
【図３】
0006565083.tif 000004
【図４】
0006565083.tif 000005
【図４Ａ】
0006565083.tif 000006
【図５】
0006565083.tif 000007
【図６】
0006565083.tif 000008
【図７】
0006565083.tif 000009
【図８】
0006565083.tif 000010
【図９】
0006565083.tif 000011